(57)【要約】      （修正有）【課題】消臭機能を有し、多種類のサイズのハンガーにも対応することができる衣料用ハンガーカバーを提供する。またこれに加えて、衣服をハンガーに着せたり脱がす際の位置ずれを防止でき、ハンガーから抜けにくくなるよう形成した衣料用ハンガーカバーを提供する。【解決手段】ハンガーカバー１は、ハンガー２を被覆する形状を備え、袋状に形成されている。ハンガー２の両端部を被覆する部分を、伸縮性材６で形成する。そして他の部分を、消臭機能材付き繊維品７で形成する。ハンガー２の両端部及び中央部を被覆する部分を伸縮性材１０で形成し、他の部分を消臭機能材付き繊維品７で形成するものがある。この場合は、ハンガーカバー１における下側開放部の一部分の前後両面を、止着可能に形成するのが好ましい。【選択図】図３
0003105589.tif 000002
【実用新案登録請求の範囲】
【請求項１】
ハンガーを被覆する形状を備える袋状の衣料用ハンガーカバーであって、ハンガーの両端部を被覆する部分が伸縮性材からなり、他の部分が消臭機能材付き繊維品からなっていることを特徴とする衣料用ハンガーカバー。
【請求項２】
ハンガーを被覆する形状を備える袋状の衣料用ハンガーカバーであって、ハンガーの両端部及び中央部を被覆する部分が伸縮性材からなり、他の部分が消臭機能材付き繊維品からなっていることを特徴とする衣料用ハンガーカバー。
【請求項３】
請求項１又は２記載の衣料用ハンガーカバーであって、下側開放部の一部分の前後両面が止着可能に形成されていることを特徴とする衣料用ハンガーカバー。
【考案の詳細な説明】
【技術分野】
【０００１】
本考案は、消臭機能を備えた衣料用ハンガーカバーに関し、更に詳しくは衣料用の保管室、洋服ダンス、ロッカー内等のハンガーに装着され、ハンガーに掛けられる衣料品の消臭や、ロッカー等の室内の消臭を行えるよう形成した衣料用ハンガーカバーに関するものである。
【背景技術】
【０００２】
従来、消臭機能を備えたこの種の衣料用ハンガーカバーは知られている（例えば、特許文献１及び特許文献２参照）。
特許文献１には、２枚の布又は不織布の間に消臭機能を備えたシート状基材を挟んで構成した複合シートを、ハンガーを被覆する形状としたものが開示されている。また、特許文献２には、シートに消臭性を有する多孔質体を付着させ、このシートを含むシート材で衣類ハンガーカバーを形成したものが開示されている。
【特許文献１】実開平４−８６４７８号公報
【特許文献２】特開２００４−１３１９１２号公報
【０００３】
しかしながら従来品は、上記の何れの場合も使い勝手が悪いものであった。即ち、市販のハンガーはサイズが多種類であるのに対し、従来品は上記の何れの場合も、１種類のサイズのハンガーにしか対応することができなかった。従って従来品を使用すると、ハンガーのサイズに合わせて多種類のサイズのハンガーカバーを揃える必要があった。
また従来品は、ハンガーにピッタリと装着できにくかったから、ハンガーから衣服を脱がすとき、例えばカバーが位置ずれを起こしたり、或は剥ぎ取られる、という問題点があった。
【考案の開示】
【考案が解決しようとする課題】
【０００４】
本考案は、このような従来の問題点に鑑み、提案されたものである。
従って本考案の技術的課題は、消臭機能を有し、且つ多種類のサイズのハンガーにも容易に対応することができるよう形成した衣料用ハンガーカバーを提供することにある。
また本考案の他の課題は、上記に加えて、衣服をハンガーに着せたり脱がす際の位置ずれを防止でき、ハンガーから抜けにくくなるよう形成した衣料用ハンガーカバーを提供することにある。
【課題を解決するための手段】
【０００５】
本考案は、上記の課題を解決するために、次のような技術的手段を採る。
即ち、本考案は、ハンガー２を被覆する形状を備える袋状の衣料用ハンガーカバー１であって、ハンガー２の両端部を被覆する部分が伸縮性材６からなり、他の部分が消臭機能材付き繊維品７からなっていることを特徴とする（請求項１）。
【０００６】
本考案の課題を達成する他の構成としては、ハンガー２の両端部及び中央部を被覆する部分が伸縮性材１０からなり、他の部分が消臭機能材付き繊維品７からなるものがある（請求項２）。
【０００７】
また本考案の場合は、ハンガーカバー１における下側開放部の一部分の前後両面が止着可能に形成されているのが好ましい（請求項３）。
【考案の効果】
【０００８】
請求項１に係る本考案は、上記のように形成されているから、これを衣料用の保管室、洋服ダンス、ロッカー内等のハンガーに装着すれば、ハンガーに掛けられる衣料品を消臭機能材付き繊維品によって消臭でき、またロッカー等の室内の消臭を行うことができる。
また本考案品は、ハンガーの両端部を被覆する部分が伸縮性材で形成されているので、これによるとサイズの異なるハンガーにも柔軟に対応でき、ハンガーにピタッとフィットした状態で装着でき、位置ずれや衣服と一緒に剥ぎ取られることを防止できる。
また請求項２に係る本考案品は、ハンガーの中央部も伸縮性材で形成されているから、これによれば上記の効果に加え、サイズの異なるハンガーに対して更に柔軟に対応できる、という利点がある。
また請求項３に係る本考案品の場合は、ハンガーの下側開放部の一部分の前後両面が止着可能であるから、ハンガーに被せ易くなり、またハンガーに被せた後は下側開放部を止めることにより、ハンガーカバーがハンガーから抜けることを防止できる。
【考案を実施するための最良の形態】
【０００９】
以下、本考案の好適な一実施形態を、図１に従って説明する。
【００１０】
この実施形態に係る本考案の衣料用ハンガーカバー１は、ハンガー２を被覆する下面開放の袋状体から形成され、略三角形状をなしている。またこのハンガーカバー１は、その頂部に孔５を備えて形成されている。この孔５は、ハンガー２の首部３と、その上面から突出するハンガー掛け具４とを挿通させるためのものである。また本考案品は、ハンガー2の両端部を被覆する部分が伸縮性材６でなり、他の部分が消臭機能材付き繊維品７で形成されている。ハンガーカバー１の伸縮性材６は、伸縮性のある収縮性生地で形成され、左右一対のハンガー腕部８の両下端部を被覆する部分に設けられている。
【００１１】
消臭機能材付き繊維品７は、伸縮性材６以外のハンガーカバー１の部分を構成し、ハンガー腕部８に沿ってハンガー腕部８を被覆するよう形成され、下縁は水平に形成されている。なおこの消臭機能材付き繊維品７は、本実施形態では、セルロース系繊維の織物或は編物を炭化した消臭機能材料からなる内層材を、ポリエステル等の糸使いの高密度織物からなる外層材で両面より挟んでシート状の繊維生地を作り、これをカットし、縫製して作製したものである。９は、止着部材としての例えば面状ファスナーである。この止着部材９は、その他例えばホック等で構成されるのでも良い。この止着部材９は、この実施形態では消臭機能材付き繊維品７の下縁部の左右位置に設けられており、ハンガーカバー１における下側開放部の２箇所の前後両面を止着できるよう構成されている。
【００１２】
而して本考案のハンガーカバー１をハンガー２に装着するときは、ハンガーカバー１を上方からハンガー２に被せ、ハンガー掛け具４とハンガー２の首部３をハンガーカバー１の孔５から突き出させ、ハンガーカバー１の伸縮性材６を、左右のハンガー腕部８の各下端部にそれぞれ嵌め、その後、止着部材９を止め付ける。
【００１３】
本考案品は、このようにしてハンガー２に被せ、例えばロッカー内に吊るして使用する。本考案品によると、ハンガー２に掛けた衣服は、消臭機能材付き繊維品７によって消臭され、ロッカー内も消臭される。また本考案品の場合は、伸縮性材６が伸縮するので、サイズが多少異なるハンガー２にも、１種類のハンガーカバー１で対応でき、極めて便利である。またハンガーカバー１は、止着部材９で下側開放部を止着できるため、ハンガー２に衣服を装着する際は下側開放部を開放して被せ、装着後は止着することにより、装着、脱着作業を楽に行える。
【００１４】
次に、本考案の好適な他の実施形態を、図２に従って説明する。
【００１５】
本実施形態は、上記の実施形態とは消臭機能材付き繊維品７の構成が相違しているだけで、他の構成は上記の実施形態と同じである。以下、上記の実施形態と相違している部分を説明する。
【００１６】
本実施形態の消臭機能材付き繊維品７は、上記の実施形態における消臭機能材料を含んだシート状織物生地の部分を、消臭機能のない普通の生地７ａを使用し、この生地７ａの裏面に消臭機能を持つ材料からなる消臭機能品７ｂを張り合わせて構成したものである。
【００１７】
次に、本考案の好適な更に他の実施形態を、図３及び図４に従って説明する。
【００１８】
この実施形態に係る衣料用ハンガーカバー１は、ハンガー２を被覆する下面開放の細長い袋状体で形成されている。このハンガーカバー１は、その頂部に、ハンガー２の首部３とその上面から突出するハンガー掛け具４とを挿通させる孔５を備え、伸縮性材６，１０と消臭機能材付き繊維品７とで形成されている。
【００１９】
ハンガーカバー１の一方の伸縮性材６は、伸縮性のある収縮性生地からなり、左右一対のハンガー腕部８の両下端部を被覆する部分に設けられている。ハンガーカバー１のもう一つの伸縮性材１０は、例えば伸縮テープからなり、ハンガーカバー１の中央部に設けられている。消臭機能材付き繊維品７は、伸縮性材６，１０以外のハンガーカバー１の部分を構成し、ハンガー腕部８に沿ってハンガー腕部８を被覆し、下縁もハンガー腕部８の下面に沿って形成されている。この消臭機能材付き繊維品７は、前述した実施形態で説明したものと同じであり、セルロース系繊維の織物或は編物を炭化した消臭機能材料からなる内層材を、ポリエステル等の糸使いの高密度織物からなる外層材で両面より挟んでシート状の繊維生地を作り、カットし、縫製して作製したものである。
【００２０】
９は、止着部材としての例えば面状ファスナーである。この止着部材９は、上例と同様、その他例えばホック等で構成されるのでも良い。この止着部材９は、ハンガーカバー１における消臭機能材付き繊維品７の下縁部の２箇所に設けられ、ハンガーカバー１における下側開放部の２箇所を前後両面から止着できるよう形成されている。
【００２１】
この実施形態の本考案にあっては、ハンガーカバー１の中央部にも伸縮性材１０が設けられているので、サイズの異なるハンガーにも更に対応が容易に可能となる。
【図面の簡単な説明】
【００２２】
【図１】本考案の好適な一実施形態を示す正面図である。
【図２】本考案の好適な他の実施形態を示す正面図である。
【図３】本考案の好適な更に他の実施形態を示す正面図である。
【図４】図３の本考案品の側面図である。
【符号の説明】
【００２３】
１  ハンガーカバー
２  ハンガー
６、１０  伸縮性材
７  消臭機能材付き繊維品
９  止着部材
【図１】
0003105589.tif 000003
【図２】
0003105589.tif 000004
【図３】
0003105589.tif 000005
【図４】
0003105589.tif 000006